(57)【要約】【課題】  分包パックから投入される散剤を全面的に受け入れることができて散剤の移し替えが容易かつ確実にでき、また、受け入れた散剤が詰まることなく滑ってスムーズな投与ができ、また、安全性を確保し、かつ使い捨て可能な低価格で製造できると共に衛生的に使用できる経口投薬具の提供。【解決手段】  薄葉体１を折曲げることにより形成される経口投薬具であり、薄葉体を略凵字状に谷折りすることで底壁２０と左右側壁２１，２１により断面略凵字状の樋状体２に形成され、樋状体は上面が全面に亘って開放されると共に、左右側壁は先端側部分が先端に向けて次第に高さが低くなるように形成され、樋状体の内部に上面から薬剤を投入させると共に、その投入させた薬剤を樋状体の内部で滑らせて先端から排出させるように形成されている。【選択図】  図１
2008011958.tif 000002
【特許請求の範囲】
【請求項１】
薄葉体を折曲げることにより形成される経口投薬具であり、
薄葉体を略Ｖ字状に谷折りすることで左右側壁により断面略Ｖ字状の樋状体に形成され、
前記樋状体は上面が全面に亘って開放されると共に、左右側壁は先端側部分が先端に向けて次第に高さが低くなるように形成され、
この樋状体の内部に上面から薬剤を投入させると共に、その投入させた薬剤を樋状体の内部で滑らせて先端から排出させるように形成されていることを特徴とする経口投薬具。
【請求項２】
薄葉体を折曲げることにより形成される経口投薬具であり、
薄葉体を略凵字状に谷折りすることで底壁と左右側壁により断面略凵字状の樋状体に形成され、
前記樋状体は上面が全面に亘って開放されると共に、左右側壁は先端側部分が先端に向けて次第に高さが低くなるように形成され、
この樋状体の内部に上面から薬剤を投入させると共に、その投入させた薬剤を樋状体の内部で滑らせて先端から排出させるように形成されていることを特徴とする経口投薬具。
【請求項３】
左右側壁の上縁に山折りに連結された耳状片が形成されている請求項１又は２記載の経口投薬具。
【請求項４】
樋状体の先端に起伏折曲げ可能に連結された先端舌状片が形成されている請求項１〜３のいずれかに記載の経口投薬具。
【請求項５】
樋状体の後端に起立折曲げ可能に連結された後端舌状片が形成されている請求項１〜４のいずれかに記載の経口投薬具。
【発明の詳細な説明】
【技術分野】
【０００１】
本発明は、高齢者、小児、手元が不自由な患者等、自力で薬剤、特に散剤を服用することが困難な人に対し介護者が服用させる際、或いは辛うじて薬剤を自力で服用できたとしても一度に複数包の薬剤を服用することが必要な患者が安全かつ容易に投薬或いは服用することができるようにした経口投薬具に関する。
【背景技術】
【０００２】
従来、薬剤のうち散剤はパック状に分包され、複数種の散剤を複数包にして服用者に対し提供されており、服用に際しては、この分包パックを切り開いて一包づつ或いは複数包を一包にまとめ、これを口に流し入れて含み、水などと一緒に飲み込むようにしている。
【０００３】
高齢者、小児、手元が不自由な人など、自力で薬剤を服用できずに介護者の手を借りて服用する場合、或いは自力で服用する場合、分包パックを切り開き、分包パックのまま口元に持っていき、口腔内に投与すればよいが、実際にやってみると簡単ではなく、口元にこぼれるなど、口腔内に確実に投与するのが非常に難しいという問題があり、特に高齢者や小児にとっては、この状況はかなりの苦痛を伴うことになる。
【０００４】
従来、このような問題に対処し、散剤の投与を安全かつ容易に行なうための散剤投与具が提案されている（特許文献１参照）。
この散剤投与具は、略円筒状に形成された投与具本体の先端に口腔内に散剤を流し込む散剤放出口を設け、後端にスプーン頭部状、または、受け皿状の散剤貯留部を設けた構造になっていた。
【０００５】
使用に際しては、分包パックの散剤を散剤貯留部に投入させたのち散剤貯留部の両側を把持し、投与具本体を散剤放出口側から口腔内に挿入し、散剤貯留部の方を軽く持ち上げて散剤貯留部の散薬を投与具本体に流し込み、この投与具本体の中を滑らせて口腔内に投与させるようになっていた。
そして、使用後は、清浄乾燥させて衛生的に保管し、次回の使用に備えるものであった。
【０００６】
しかしながら、従来の散剤投与具は、投与具本体と散剤貯留部によって構成され、投与具本体は略円筒状に形成され、散剤貯留部は上面が開口した受け皿（スプーン頭部状）に形成されていた。
【０００７】
このため、分包パックの散剤を散剤貯留部という限られたスペースに投入しなければならず、分包パックから散剤貯留部への投入（移し替え）に際し、散剤がこぼれてしまうことがある。
【０００８】
又、散剤貯留部に受け入れた散剤を、この散剤貯留部から略円筒状の投与具本体の内部に流入させるため、投与具本体の入口部分で散剤が詰まり易いし、投与具本体の内部に流入した散剤が投与具本体の内部を滑りにくく、スムーズな投与ができない。
【０００９】
特に、従来の散剤投与具は、プラスチック成形品であるため硬さが硬く、服用者の口元や口腔内に当って傷つけてしまうなど、安全性に問題がある。
又、プラスチック成形品であるため製造にコストがかかるため、商品としての価格が高価になり、使い捨てするには高価すぎる。
更に使用後は、清浄乾燥させて衛生的に保管するという使い回し商品であるため、その清浄乾燥に手間がかかるし、必ずしも衛生的とは言えない。
【特許文献１】特開２０００−２４０８９号公報
【発明の開示】
【発明が解決しようとする課題】
【００１０】
本発明は、上面が全面に亘って開放された樋状体に形成することにより、単数或いは複数の分包パックから投入される散剤を全面的に受け入れることができて散剤の移し替えが容易かつ確実にでき、また、受け入れた散剤が詰まることなく滑ってスムーズな投与ができ、また、安全性を確保し、かつ使い捨て可能な低価格で製造できると共に衛生的に使用でき、又、介護者から投与される場合においては、患者側からも薬剤を直接視認することが可能で、患者が抱きがちな不安感を軽減させることができる経口投薬具を提供することを課題としている。
【課題を解決するための手段】
【００１１】
上記の課題を解決するために、本発明（請求項１）の経口投薬具は、
薄葉体を折曲げることにより形成される経口投薬具であり、
薄葉体を略Ｖ字状に谷折りすることで左右側壁により断面略Ｖ字状の樋状体に形成され、
前記樋状体は上面が全面に亘って開放されると共に、左右側壁は先端側部分が先端に向けて次第に高さが低くなるように形成され、
この樋状体の内部に上面から薬剤を投入させると共に、その投入させた薬剤を樋状体の内部で滑らせて先端から排出させるように形成されている構成とした。
【００１２】
又、本発明（請求項２）の経口投薬具は、
薄葉体を折曲げることにより形成される経口投薬具であり、
薄葉体を略凵字状に谷折りすることで底壁と左右側壁により断面略凵字状の樋状体に形成され、
前記樋状体は上面が全面に亘って開放されると共に、左右側壁は先端側部分が先端に向けて次第に高さが低くなるように形成され、
この樋状体の内部に上面から薬剤を投入させると共に、その投入させた薬剤を樋状体の内部で滑らせて先端から排出させるように形成されている構成とした。
【００１３】
又、本発明（請求項３）の経口投薬具は、請求項１又は２記載の経口投薬具において、左右側壁の上縁に山折りに連結された耳状片が形成されている構成とした。
【００１４】
又、本発明（請求項４）の経口投薬具は、請求項１〜３のいずれかに記載の経口投薬具において、樋状体の先端に起伏折曲げ可能に連結された先端舌状片が形成されている構成とした。
【００１５】
又、本発明（請求項５）の経口投薬具は、請求項１〜４のいずれかに記載の経口投薬具において、樋状体の後端に起立折曲げ可能に連結された後端舌状片が形成されている構成とした。
【発明の効果】
【００１６】
本発明の経口投薬具は、薄葉体を折曲げることにより形成されたもので、断面略Ｖ字状（請求項１）又は断面略凵字状（請求項２）の樋状体に形成されている構成に特徴がある。
【００１７】
そして、樋状体は上面が全面に亘って開放されているため、その上面全面で分包パックから投入される散剤を受け入れることができ、散剤の移し替えが容易かつ確実にできる。
又、上面が全面開放されているため、介護者から投与される場合においては、患者側からも薬剤を直接視認することが可能になり、患者が抱きがちな不安感を軽減させることができる。
【００１８】
又、受け入れた散剤をそのまま樋状体の内部で滑らせることができるため、散剤が途中で詰まるといったことがなく、スムーズな投与ができる。
樋状体は左右側壁の先端側部分が先端に向けて次第に高さが低くなるように形成されているため、その先端側部分を口腔内に挿入し易くなり、舌の感度が鈍い口腔奥側に確実に投与させることができ、特に苦味による患者の苦痛を軽減することができる。
【００１９】
薄葉体を折曲げることにより形成されているため、口元や口腔内に当っても樋状体が折れ曲がったり潰れたりするため、傷つけることがなく、安全に使用できる。
又、薄葉体を折曲げることにより形成されているため、使い捨て可能な低価格で製造できると共に、使い捨てすることで衛生的に使用できる。
【００２０】
左右側壁の上縁に山折りに連結された耳状片を形成させると（請求項３）、この耳状片によって左右側壁が二重構造になり、樋状体の強度を補強し、薬剤の重さによる折れ曲りに対応することができる。
耳状片がない場合には、左右側壁の上縁がカミソリ様の鋭利な縁になるため危険であるが、耳状片を形成することにより、左右側壁の上縁に折返し部が形成され、鋭利な縁を無くして安全に使用できる。
また、耳状片がない場合には、樋状体が横倒れすることがあるが、耳状片を形成することにより、樋状体の横倒れを支えることができ、樋状体を上向きに安定して置くことができ、分包パックからの散剤の投入が容易になる。
【００２１】
樋状体の先端に先端舌状片を起伏折曲げ可能に連結させると（請求項４）、樋状体の内部に受け入れた散剤を先端方向に寄せる場合、この先端舌状片を起立させることで散剤のこぼれを防止できるし、投与時にはこの先端舌状片が邪魔にならないように倒伏させることができる。
【００２２】
樋状体の後端に後端舌状片を起立折曲げ可能に連結させると（請求項５）、樋状体の内部に散剤を投入させる場合、この後端舌状片を起立させることで後端からのこぼれを防止できるし、投与時における服用者の吐息による飛散を防止できる。
【発明を実施するための最良の形態】
【００２３】
図１は第１実施例の経口投薬具を示す斜視図、図２はその経口投薬具を示す側面図、図３はその経口投薬具を示す展開図である。
【００２４】
この経口投薬具Ａは、薄葉体を折曲げることにより形成されている。
薄葉体としては、使い捨て商品にすることを考慮して価格が安価であり、又、手作業による折曲げが容易にできて、その折曲げ部分が完全には復元せずに折り癖が残るような加工性を有し、又、突き当てた場合に折曲がったり潰れたりすることで衝撃を吸収して安全に使用できるものを用いるもので、通常は薄葉紙を用いるが、これに限定されない。
なお、散剤を滑り易くするための表面処理が施されている薄葉体を用いるのが好ましい。
【００２５】
この実施例では、図３に示すように、角部を面取りして略正方形に裁断した薄葉紙１を用い、この薄葉紙１の対角線上に樋状体２を形成するように折曲げ加工している。
この樋状体２は、折り線２ａ，２ａで谷折りすることにより底壁２０と左右側壁２１，２１により断面略凵字状に形成されている。
【００２６】
前記樋状体２は、上面が全面に亘って開放されると共に、左右側壁２１，２１は頂部２１ａから先端側部分（図３の左側部分）が先端に向けて次第に高さが低くなるように形成されている。
実施例の側壁２１は、先端と後端の間に頂部２１ａが位置する三角形状に形成され、側壁２１の頂部２１ａから後端側部分（図３の右側部分）についても後端に向けて次第に高さが低くなるように形成されている。
又、前記底壁２０は、先端に向けて次第に幅狭く形成されているが、後端（図３の右端）から先端（図３の左端）まで同一幅で形成してもよい。
【００２７】
前記左右側壁２１，２１の上縁には、折り線３ａ，３ａで山折りすることにより連結された耳状片３，３が形成されており、実施例では耳状片３は、側壁２１の先端側部分の上縁２１ｂに連結する状態に形成されている。
【００２８】
経口投薬具Ａを手で持つ場合、人指し指を樋状体２の後端内部に入れ、この人指し指と親指で一方の側壁２１を挟み、人指し指と中指で他方の側壁２１を挟んで持つようにしているが、この際、前記したように耳状片３，３を左右側壁２１，２１の先端側部分の上縁２１ｂ，２１ｂに連結する状態に形成させると、左右側壁２１，２１の後端側部分の上縁２１ｃ，２１ｃについては耳状片がなく、指で挟む際に耳状片が邪魔にならず、持ち易くなる。
【００２９】
なお、図２の仮想線で示すように、左右側壁２１，２１は長さ方向の後端に頂部が位置する三角形状に形成させることで、先端側部分だけでなく、後端から先端までの全長に亘って先端に向けて次第に高さが低くなるように形成してもよく、この左右側壁の上縁全長に亘って連結する状態に耳状片を形成させてもよい。
【００３０】
前記樋状体２の先端には折り線４ａにより起伏折曲げ可能に連結された先端舌状片４が形成され、又、樋状体２の後端には折り線５ａにより起立折曲げ可能に連結された後端舌状片５が形成されている。
【００３１】
本発明の経口投薬具Ａを使用して散剤を投与させるには、形状を整えるように各折り線２ａ，３ａ，４ａ，５ａに従って折曲げ、次に、左右の耳状片３，３により樋状体２を支えることで、この樋状体２が横倒れしないように上向きに置く。
この状態で、分包パックから散剤を樋状体２に投入させるもので、このとき、樋状体２は上面が全面に亘って開放されているため、その上面全面で散剤を受け入れることができ、散剤の移し替えが容易かつ確実にできる。
この場合、先端舌状片４及び後端舌状片５を起立させることで散剤がこぼれ出るのを防止できる。
【００３２】
このようにして散剤を樋状体２の内部に投入させた後、上記したように、人指し指と親指と中指で左右側壁２１，２１を挟んで経口投薬具Ａを持ち上げ、散剤をそのまま樋状体２の内部で滑らせながら先端から排出させて服用者の口腔内に投薬させる。
このように散剤を樋状体２の内部で滑らせるだけでよいので、散剤が途中で詰まるといったことがなく、スムーズな投与ができる。
なお、投与に際し、樋状体２を指で軽く叩くと、散剤が樋状体２の内面から放れ易くなり、散剤を残すことなく、よりスムーズに投与することができる。
【００３３】
又、予め散剤を樋状体２の先端側に寄せておけば、散剤を滑らせる距離が短くなるため投与し易くなるもので、このとき、先端舌状片４を起立させておけば、散剤が先端からこぼれるのを防止できる。なお、投与に際しては、この先端舌状片４は底壁２０と平行か下向きに倒伏させる。
【００３４】
上記のようにして使用した経口投薬具Ａは、これを使い捨てにするもので、使い回し商品と異なり、衛生的に使用できるし、清浄乾燥に手間をかける必要もない。
【００３５】
次に、図４は第２実施例の経口投薬具を示す展開図である。
この経口投薬具Ｂは、小児向けに形成したもので、略菱形形状に裁断した薄葉紙１を用い、その内面に動物の象の絵柄を表現させている。
この場合、左右側壁２１，２１及び耳状片３，３の後端部分を象の耳の輪郭に合わせた形状に形成しており、このように左右側壁２１，２１及び耳状片３，３の形状を絵柄やデザインに合わせることができる。
【００３６】
なお、本発明の経口投薬具は、動物等の絵柄を表現させるほか、模様や色彩を用いてデザインを施すことは任意である。
特に、本発明の経口投薬具は使い捨てするため消費量が多く、そこで企業や公共団体等の広告（有料、無料を問わない）を表示させると、効果的な広告媒体として有効に利用することができる。
【００３７】
次に、図５は第３実施例の経口投薬具を示す展開図である。
この経口投薬具Ｃは、耳状片３の先端３ｂを側壁先端２１ｄからやや後方（図５の右方）に位置させると共に、耳状片３の後端３ｃを側壁２１の頂部２１ａからやや先方（図５の左方）に位置させた例であり、その他の構成及び使用方法は前記第１実施例と同様である。
【００３８】
次に、図６は第４実施例の経口投薬具を示す展開図、図７はその側面図である。
この経口投薬具Ｄは、略菱形形状に裁断した薄葉紙１を用い、前記第３実施例の経口投薬具Ｃと同様に、耳状片３の先端３ｂを側壁先端２１ｄからやや後方（図６の右方）に位置させると共に、耳状片３の後端３ｃを側壁２１の頂部２１ａからやや先方（図６の左方）に位置させた例である。
なお、前記第１実施例の経口投薬具Ａでは、耳状片３を形成するための折り線３ａの先端３ｄを樋状体２の先端にほぼ一致させているが、この第４実施例の経口投薬具Ｄでは、折り線３ａの先端３ｄを樋状体２の先端からやや後方に位置させることで、側壁２１の先端部の高さを第１実施例の経口投薬具Ａに比べて高く形成させている。
【００３９】
次に、図８は第５実施例の経口投薬具を示す斜視図である。
この経口投薬具Ｅは、樋状体２が、薄葉体を折り線２ｂで谷折りすることにより左右側壁２１，２１により断面略Ｖ字状に形成されたもので、その他の構成及び使用方法は前記第１実施例と同様である。
【００４０】
以上、本発明の実施例を説明したが、本発明は前記した実施例に限定されることはない。
例えば、本発明の経口投薬具（請求項１、請求項２）は、樋状体が形成されていれば、耳状片、先端舌状片、後端舌状片は必ずしも必要でない。
又、薄葉体についても、実施例で示したような正方形や菱形形状に限定されないし、サイズについても大量用、小量用等、数種類を揃えるようにしてもよい。
又、投与する薬剤は、主として散剤（粉末薬、顆粒薬等）を対象にしているが、錠剤やカプセル剤を散剤と一緒又は単独で投与させることができるのは勿論である。
なお、本発明の経口投薬具は、主に介護者による薬剤の投与用として好適に使用できるが、自力で服用する場合においても同様の効果を有するものである。
【図面の簡単な説明】
【００４１】
【図１】第１実施例の経口投薬具を示す斜視図である。
【図２】その経口投薬具を示す側面図である。
【図３】その経口投薬具を示す展開図である。
【図４】第２実施例の経口投薬具を示す展開図である。
【図５】第３実施例の経口投薬具を示す展開図である。
【図６】第４実施例の経口投薬具を示す展開図である。
【図７】その経口投薬具を示す斜視図である。
【図８】第５実施例の経口投薬具を示す斜視図である。
【符号の説明】
【００４２】
１  薄葉紙（薄葉体）
２  樋状体
２０  底壁
２１  側壁
２１ａ  頂部
２１ｂ  上縁
２１ｃ  上縁
２１ｄ  側壁先端
２ａ  折り線
２ｂ  折り線
３  耳状片
３ａ  折り線
３ｂ  先端
３ｃ  後端
３ｄ  先端
４  先端舌状片
４ａ  折り線
５  後端舌状片
５ａ  折り線
Ａ  経口投薬具
Ｂ  経口投薬具
Ｃ  経口投薬具
Ｄ  経口投薬具
Ｅ  経口投薬具
【図１】
2008011958.tif 000003
【図２】
2008011958.tif 000004
【図３】
2008011958.tif 000005
【図４】
2008011958.tif 000006
【図５】
2008011958.tif 000007
【図６】
2008011958.tif 000008
【図７】
2008011958.tif 000009
【図８】
2008011958.tif 000010